(57)【要約】【課題】本発明は、メモリーカード用コネクタに関し、形状の異なる２種類のメモリーカードを装着できるように、少ない部品点数で且つ組み立て工数も削減できるようにすることが課題である。【解決手段】形状の異なる２種類のメモリーカードを収納するメモリーカード用コネクタであって、当該コネクタの前端部には前記２種類のメモリーカードを挿入させるように開口された一つの入り口部が設けられ、前記入り口部の奥側には、前記入り口部から挿入された前記２種類のメモリーカードに対応して適宜に揺動し当該メモリーカードの上位置若しくは下位置を選択的に位置決めする揺動可変位置決め部材が設けられているメモリーカード用コネクタ１とする。【選択図】図１
2006012438.tif 000002
【特許請求の範囲】
【請求項１】
形状の異なる２種類のメモリーカードを収納するメモリーカード用コネクタであって、
当該コネクタの前端部には前記２種類のメモリーカードを挿入させるように開口された一つの入り口部が設けられ、
前記入り口部の奥側には、前記入り口部から挿入された前記２種類のメモリーカードに対応して適宜に揺動し当該メモリーカードの上位置若しくは下位置を選択的に位置決めする揺動可変位置決め部材が設けられていること、
を特徴とするメモリーカード用コネクタ。
【請求項２】
揺動可変位置決め部材は、メモリーカードの上面位置若しくは下面位置を位置決めする略水平な棒状の位置決めバーがあり、この両位置決めバーがその端部で連結部により一体に連結されて形成され、弾性部材によって揺動開始位置である基準位置に付勢されていること、
を特徴とする請求項１に記載のメモリーカード用コネクタ。
【請求項３】
揺動可変位置決め部材の位置決めバーは、
２種類のメモリーカードの各下面を基準位置と揺動後の位置とで位置決めする下位置決めバーと、
２種類のメモリーカードのうち一方のカードの上位置を位置決めすると共に基準位置から揺動した後に他方のカードの下位置を位置決めする上位置決めバーとでなること、
を特徴とする請求項１または２に記載のメモリーカード用コネクタ。
【請求項４】
揺動可変位置決め部材の位置決めバーは、
２種類のメモリーカードの各下面を基準位置と揺動後の位置とで位置決めする下位置決めバーと、
２種類のメモリーカードのうち他方のカードの下位置を位置決めすると共に基準位置から揺動した後に一方のカードの上位置を位置決めする上位置決めバーとでなること、
を特徴とする請求項１または２に記載のメモリーカード用コネクタ。
【請求項５】
メモリーカード用コネクタの天板が、他方のカードが装着された際に、当該カードの上面を位置決めする位置決め部材として兼用されること、
を特徴とする請求項３または４に記載のメモリーカード用コネクタ。
【請求項６】
入り口部と揺動可変位置決め部材との間に、メモリーカードをその下面に係合して上に押し上げるように付勢する弾性部材が配設されていること、
を特徴とする請求項１、２，３，５のいずれかに記載のメモリーカード用コネクタ。
【請求項７】
入り口部において、２種類のメモリーカードのうちの幅の広いカードが略水平に挿入されるように、当該カードの左右両端部をガイドするガイド部が設けられていること、
を特徴とする請求項１乃至３のいずれかに記載のメモリーカード用コネクタ。
【発明の詳細な説明】
【技術分野】
【０００１】
本発明は、例えば、携帯型のパーソナルコンピュータ等の電子機器に装着して機能拡張させるメモリーカードのためのメモリーカード用コネクタに関するものである。
【背景技術】
【０００２】
従来、例えば、メモリーカードを電子機器に装着するためのメモリーカード用コネクタは、ＰＣカード，ＣＦ（コンパクトフラッシュ  （登録商標））カード，ＳＤカード，ＭＭＣカード，メモリースティック等のためのコネクタがそれぞれ用意されている。これらは、各メモリーカードの仕様が異なり、その形状における厚さ，幅、長さなどが一致しないためである。
そこで、一つのメモリーカード用コネクタで、２種類のカードを装着できるように、カードの幅に合わせて臨出可能なカード案内部材を設けるコネクタや、厚さの異なるカードの場合に薄いカードを厚いカード用スロットに入れても挿入阻止するようにしたメモリーカード用コネクタ等が提案されて知られている（特許文献１参照）。
【特許文献１】特開２００４−７１２５７号公報
【特許文献２】特開２００４−３９３０６号公報
【発明の開示】
【発明が解決しようとする課題】
【０００３】
しかし、従来のメモリーカード用コネクタでの課題は、カードの厚さや幅の異なる２種類のカードを装着させるために、案内部材や進入阻止部材等の負荷部品が多く、構造が複雑になっていて、その組立コストも嵩むものとなっていることである。本発明の目的は、２種類のメモリーカードを装着させるための部品を極力少なくして、その組立コストも低廉にすることのできるものを提供することである。
【課題を解決するための手段】
【０００４】
本発明に係るメモリーカード用コネクタの要旨は、  形状の異なる２種類のメモリーカードを収納するメモリーカード用コネクタであって、当該コネクタの前端部には前記２種類のメモリーカードを挿入させるように開口された一つの入り口部が設けられ、前記入り口部の奥側には、前記入り口部から挿入された前記２種類のメモリーカードに対応して適宜に揺動し当該メモリーカードの上位置若しくは下位置を選択的に位置決めする揺動可変位置決め部材が設けられていることである。
【０００５】
前記揺動可変位置決め部材は、メモリーカードの上面位置若しくは下面位置を位置決めする略水平な棒状の位置決めバーがあり、この両位置決めバーがその端部で連結部により一体に連結されて形成され、弾性部材によって揺動開始位置である基準位置に付勢されていること、；
前記揺動可変位置決め部材の位置決めバーは、２種類のメモリーカードの各下面を基準位置と揺動後の位置とで位置決めする下位置決めバーと、２種類のメモリーカードのうち一方のカードの上位置を位置決めすると共に基準位置から揺動した後に他方のカードの下位置を位置決めする上位置決めバーとでなること、；
前記揺動可変位置決め部材の位置決めバーは、２種類のメモリーカードの各下面を基準位置と揺動後の位置とで位置決めする下位置決めバーと、２種類のメモリーカードのうち他方のカードの下位置を位置決めすると共に基準位置から揺動した後に一方のカードの上位置を位置決めする上位置決めバーとでなること、；
前記メモリーカード用コネクタの天板が、他方のカードが装着された際に、当該カードの上面を位置決めする位置決め部材として兼用されること、；
前記入り口部と揺動可変位置決め部材との間に、メモリーカードをその下面に係合して上に押し上げるように付勢する弾性部材が配設されていること、；
前記入り口部において、２種類のメモリーカードのうちの幅の広いカードが略水平に挿入されるように、当該カードの左右両端部をガイドするガイド部が設けられていること、；
を含むものである。
【発明の効果】
【０００６】
本発明のメモリーカード用コネクタは、形状の異なる２種類のメモリーカードを、揺動可変位置決め部材により、そのカードの種類に応じて上下方向の高さ位置を適宜に位置決めし、前記２種類のメモリーカードを装着させる。この揺動可変位置決め部材は、入り口部に挿入されるメモリーカードの種類により、そのカードの上面もしは下面を位置決めして支持するものである。
この機能により、前記２種類のメモリーカードを上下に積み重ねるようにした場合でも、従来では単に２段に配設するので、各メモリーカードの厚みがそのまま必要であって、メモリーカード用コネクタの厚みが嵩張っていたが、本発明のメモリーカード用コネクタでは、下段のコンタクト部の高さを避けて上段にメモリーカードを配置すればよいので２種類分の高さよりも低くすることができる。
また、本発明のコネクタでは、２種類のメモリーカードを上下段に配設する部品の点数が少なくて済み、組み立て工数が削減されコスト低減となる。
前記揺動可変位置決め部材は、２本の位置決めバーとそれを連結する連結部とからなる簡易な構造であり、組み立てやすいものである。
更に、このコネクタの天板が、メモリーカードの上面の位置決めに兼用されて、部品点数の削減となっている。
入り口部と揺動可変位置決め部材との間に、メモリーカードをその下面に係合して上に押し上げるように付勢する弾性部材が配設されているので、上段に挿入されるべきメモリーカードをスムーズに上位置に導入することができる。
入り口部において、カードの左右両端部をガイドするガイド部が設けられているので、前記揺動可変位置決め部材と相俟って、メモリーカードを略水平に安定して導入することができる。
【発明を実施するための最良の形態】
【０００７】
本発明の第１実施例に係るメモリーカード用コネクタ１は、図１（Ａ）〜（Ｆ）と図２とに示すように、コネクタの合成樹脂製筐体２と、該筐体２の後方に複数個併設されるメモリースティック用のコンタクト３と、前記筐体２の略中央部に複数配設されるＳＤメモリーカード用のコンタクト４と、前記２種類のメモリーカードをプッシュープッシュ式に排出するイジェクト装置における合成樹脂製のスライダー５と、該スライダー５を前方に付勢する弾性体６と、該スライダー５の循環型溝カムに係合してスライダー５の移動を規制するピン７と、前記筐体２の上部を覆う金属製の天板８と、から概ね構成されている、形状の異なる２種類のメモリーカード（ＳＤメモリーカードとメモリースティック、このほか他のメモリーカードの組み合わせでも良い）を収納するものである。
【０００８】
上記の他、カードロック用コンタクト９，１０や、カードスイッチコンタクト，検知コンタクト１１、１２が備えられている。そして、前記コネクタ１の前端部には、前記２種類のメモリーカードを挿入させるように開口された一つの入り口部２ａが設けられている。
【０００９】
前記コネクタ１は、天板８の４箇所の脚部と、コンタクト３，４と、カードスイッチコンタクト、検知コンタクト１１，１２の各リード部がそれぞれ実装用のプリント基板に半田付けにより表面実装されるものである。
【００１０】
更に、このコネクタ１には、入り口部２の奥側で前記コンタクト４の手前に置いて、前記入り口部２から挿入された前記２種類のメモリーカードに対応して適宜に揺動し当該メモリーカードの上位置若しくは下位置を選択的に位置決めする揺動可変位置決め部材１３が設けられている。
【００１１】
前記揺動可変位置決め部材１３は、全体が合成樹脂製であり、図３に示すように、メモリーカードの上面位置若しくは下面位置を位置決めする略水平な棒状の２本の位置決めバーがあり、そのうちの一つは２種類のメモリーカードの各下面を基準位置と揺動後の位置とで位置決めする下位置決めバー１３ａと、２種類のメモリーカードのうち一方のカード（ＳＤメモリーカード）の上位置を位置決めすると共に基準位置から揺動した後に他方のカード（メモリースティック）の下位置を位置決めする上位置決めバー１３ｂとであり、この両位置決めバー１３ａ，１３ｂがその端部で連結部１３ｃにより一体に連結されて形成されている。
【００１２】
前記両端にある連結部１３ｃには、左右方向に突出する円筒状の軸部１３ｄが突設されている。そして、この軸部１３ｄに、図２に示すように、弾性部材であるトーションバネ１４が係合される。前記軸部１３ｄは、筐体２の回転軸用に設けられた凹部に嵌合するものである。前記トーションバネ１４により、揺動可変位置決め部材１が、揺動開始位置である基準位置に付勢されてるものである。
【００１３】
前記下位置決めバー１３ａには、前方側に切り欠部１３ｅが設けられている。これは、後述の弾性部材１５の持ち上げの作用部１５ａを避けるためのものである。また、左右の幅は、２種類のメモリーカードのうちの、幅の広いカードの幅に合わされている。前記上位置決めバー１３ｂの幅は、幅の狭いほうのカードの幅に合わされている。
【００１４】
更に、図５乃至図６に示すように、前記揺動可変位置決め部材１３において、前記上位置決めバー１３ｂと下位置決めバー１３ａとは、ある角度に揺動した際に、互いのバーの上面が同じ高さで面一となり、略水平に位置するように、形成されている（図８（Ｅ）参照）。これにより、上段のメモリーカードの下面を位置決めして支持するためである。
【００１５】
前記入り口部２と揺動可変位置決め部材１３との間に、メモリーカードをその下面に係合して上に押し上げるように付勢する弾性部材１５が配設されている。図４に示すように、バネ鋼やステンレス製のもので、両端部１５ｂ，１５ｃが前記筐体２に回動自在に係止され、中央部には挿入されたメモリーカードを上に導くように斜めに傾斜されて配設される作用部１５ａが形成されている。
【００１６】
前記入り口部２において、２種類のメモリーカードのうちの幅の広いカード（ＳＤメモリーカード）が略水平に挿入されるように、当該カードの左右両端部をガイドするコ字状のガイド部２ｂが設けられている。これにより、前記幅の広いメモリーカードが略水平に導入されるようになる。
【００１７】
このようにして形成される本発明のメモリーカード用コネクタ１による使用方法を説明する。図７（Ａ）に示すように、まず、２種類のメモリーカードのうち、幅の広いＳＤメモリーカード１６がコネクタ１の入り口部２に挿入されると、前記カード１６の両端部がガイド部２ｂに嵌合して、略水平に位置決めされてガイドされる。
【００１８】
次に、図７（Ｂ）に示すように、前記ＳＤメモリーカード１６の端部が弾性部材１５の作用部１５ａに当接し、この弾性部材１５の付勢力に抗して略水平に押し倒す。そして、図７（Ｃ）に示すように、トーションバネ１４の付勢力によって基準位置にある揺動可変位置決め部材１３の、下位置決めバー１３ａと上位置決めバー１３ｂとの間の間隙ａを通過する。
【００１９】
前記間隙ａを通過するＳＤメモリーカード１６の、上面に上位置決めバー１３ｂの下端面が摺接して、位置決めする。また、ＳＤメモリーカード１６の下面に、下位置決めバー１３ａの上面が摺接して、位置決めする。これにより、当該ＳＤメモリーカード１６は、入り口部２のガイド部２ｂと、前記揺動可変位置決め部材１３とにより、略水平に位置決めされて、コネクタ１の収納空間部に導入される。
【００２０】
その後、イジェクト機構のスライダー５を後方に押し込みながら、コネクタ１のコンタクト４に電気的に接続され、カードロック用コンタクト１０でロックされ、検知コンタクト１１，１２で電気的に挿入が検知される。ＳＤメモリーカード１６をコネクタ１から脱着させるには、このＳＤメモリーカード１６をもう一度、後方に押し込み、循環型カム溝に端部が係合しているピン７の位置規制を解除させ、弾性体６の付勢力により、スライダー５とともに、コネクタ１の前方に押し出すものである。
【００２１】
次に、メモリーカードがメモリースティック１７の場合には、図８（Ａ）に示すように、コネクタ１の入り口部２ａに挿入すると、前記ＳＤメモリーカード１６よりも幅が狭いので左右の前記ガイド部２ｂには嵌合せず、コネクタ１内部に進入する。
【００２２】
図８（Ｂ），（Ｃ）に示すように、前記メモリースティック１７の先端部が弾性部材１５の斜めに起立した作用部１５ａに当接する。この弾性部材１５の作用により、進入した前記メモリースティック１７は、上方向に押し上げられ、コネクタ１の天板８に当接してそのまま摺接移動する。
【００２３】
そして、図８（Ｄ）に示すように、前記メモリースティック１７の先端部が、揺動可変位置決め部材１３の前部に当接し、更に該メモリースティック１７をコネクタ１の後方に押し込むと、前記揺動可変位置決め部材１３が軸部１３ｄを中心にして時計方向に回転される。
【００２４】
そして、図８（Ｅ）に示すように、前記揺動可変位置決め部材１３の回転により、下位置決めバー１３ａが、同時に時計方向に回転して、その上部がメモリースティック１７の下面に当接する。この揺動可変位置決め部材１３の揺動により、上位置決めバー１３ｂと下位置決めバー１３ａとが回転して、その両者の上面がほぼ同じ高さで面一になり、略水平になる。こうして、コネクタ１の天板８の下面と、揺動可変位置決め部材１３の上位置決めバー１３ｂ及び下位置決めバー１３ａとにより、上下の位置決めがなされる。
【００２５】
この後、前記メモリースティック１７が更にコネクタ１の後方に押し込まれ、スライダー５を押し込み、コンタクト３に電気的に接続し、カードロック用コンタクト９でロックされる。脱着方法は前記ＳＤメモリーカード１６の場合と同じである。
【００２６】
本発明の第２実施例に係るコネクタ１ａは、図９に示すように、前記第１実施例のコネクタ１に対して、弾性部材１５及び揺動可変位置決め部材１３を省き、代わりに揺動可変位置決め部材１８及びトウションバネ１９を設けてなるものである。
【００２７】
図１０に示す前記揺動可変位置決め部材１８は、前記トーションバネ１９によって、図１１（Ａ）及び図１２（Ａ）に示すように、軸部１８ｃを中心に回転して斜めに倒れた状態に付勢されており、これが揺動前の基準位置にある状態である。揺動可変位置決め部材１８は、２種類のメモリーカード（ＳＤメモリーカード１６と、メモリースティック１７）の各下面を基準位置と揺動後の位置とで位置決めする下位置決めバー１８ａと、２種類のメモリーカードのうち他方のカード（メモリースティック１７）の下位置を位置決めすると共に基準位置から揺動した後に一方のカード（ＳＤメモリーカード１６）の上位置を位置決めする上位置決めバー１８ｂとを一体に形成してなる。
【００２８】
このメモリーカード用コネクタ１ａによれば、まず、ＳＤメモリーカード１６を装着する場合には、図１１（Ａ）に示すように、入り口部２ａのガイド部２ｂにその左右端部が嵌合し、略水平にガイドされる。そのＳＤメモリーカード１６の先端部が、基準位置にある揺動可変位置決め部材１８の下位置決めバー１８ａに衝突する。（図１１（Ｂ）参照）。
【００２９】
ＳＤメモリーカード１６はガイド部２ａに規制されて水平に進入するので、前記下位置決めバー１８ａがトーションバネ１９の付勢力に抗して、強制的に反時計方向に軸部１８ｃを中心にして回転される。やがて、図１１（Ｄ）に示すように、ＳＤメモリーカード１６の進入によって揺動可変位置決め部材１８が反時計方向に回転されて、揺動の終期には、前記した位置決めバー１８ａと上位置決めバー１８ｂとの間に間隙ａが出現する。該間隙ａの寸法は、ＳＤメモリーカード１８の厚さとほぼ同じか若干大きい。
【００３０】
そして、図１１（Ｅ）に示すように、ＳＤメモリーカード１６の先端部が、揺動可変位置決め部材１８の間隙ａを通過する。これにより、前記入り口部２のガイド部２ａと、前記した位置決めバー１８ａ及び上位置決めバー１８ｂとで、ＳＤメモリーカード１６の下面若しくは上面を位置決めして略水平に支持するものである。そして、コンタクト４と電気的に接続するものである。その後のロックやイジェクト操作は、第１実施例と同様であり、説明を省略する。
【００３１】
次に、図１２に示すように、メモリースティック１７の場合には、コネクタ１ａの入り口部２ａに挿入されて、ガイド部２ｂに嵌合することなく進入し、その先端部が揺動可変位置決め部材１８の下位置決めバー１８ａに当接して、トーションバネ１９の付勢力に抗して前記揺動可変位置決め部材１８を反時計方向に回転させる（図１２（Ｂ）参照）。しかし、メモリースティック１７は、前記ガイド部２ｂによる水平な位置決めの規制を受けないので、やがて前記トーションバネ１９の付勢力によって、下位置決めバー１８ａを介して上に持ち上げられる（図１２（Ｃ）参照）。
【００３２】
そして、図１２（Ｄ）に示すように、メモリースティック１７の上面が天板８に当接して摺接する。また、揺動可変位置決め部材１８が基準位置に戻り、前記下位置決めバー１８ａと上位置決めバー１８ｂとが、略水平に面一となる。前記天板８の下面と前記上・下位置決めバー１８ａ，１８ｂとの間隙ｂが、メモリースティック１７の厚さとほぼ同じか、若干大きい。
【００３３】
そして、前記メモリースティック１７が進入して、図１２（Ｅ）に示すように、その上面が天板８に位置決めされ、その下面１７ａが前記下位置決めバー１８ａと上位置決めバー１８ｂとによって位置決めされる。こうして、略水平にメモリースティック１７が略水平に進入し、コンタクト３と電気的に接続する。その後のロックやイジェクト操作は第１実施例と同様であり、説明を省略する。
【００３４】
このようにして、第２実施例に係るメモリーカード用コネクタ１ａは、入り口部２ａにおいて揺動可変位置決め部材１８だけで、２種類のメモリーカードを選択的に位置決めすることができて、部品点数が減少し、製造コスト及び組立コストも低減できるようになる。また、前記第１実施例のコネクタ１と第２実施例のコネクタ１ａとも、その高さが、前記２種類のメモリーカード１６，１７の厚みを足した高さよりも低くされ、薄型化に貢献するものである。
【図面の簡単な説明】
【００３５】
【図１】本発明に係るメモリーカード用コネクタ１の背面図（Ａ）、平面図（Ｂ）、正面図（Ｃ）、左右側面図（Ｄ），（Ｅ）、底面図（Ｆ）である。
【図２】同メモリーカード用コネクタ１の分解斜視図である。
【図３】同メモリーカード用コネクタ１における、揺動可変位置決め部材１３の斜視図である。
【図４】同メモリーカード用コネクタ１における、弾性部材１５の斜視図である。
【図５】同メモリーカード用コネクタ１の天板８を撤去した状態の平面図である。
【図６】図５におけるＸ−Ｘ線に沿った断面図である。
【図７】本発明に係る第１実施例において、ＳＤメモリーカード１６の使用状態における説明図（Ａ）〜（Ｄ）である。
【図８】本発明に係る第１実施例において、メモリースティック１７の使用状態における説明図（Ａ）〜（Ｅ）である。
【図９】本発明に係る第２実施例のメモリーカード用コネクタ１ａの分解斜視図である。
【図１０】同第２実施例における揺動可変位置決め部材１８の斜視図である。
【図１１】同第２実施例における、ＳＤメモリーカード１６の使用状態における説明図（Ａ）〜（Ｅ）である。
【図１２】同第２実施例における、メモリースティック１７の使用状態における説明図（Ａ）〜（Ｅ）である。
【符号の説明】
【００３６】
１，１ａ    メモリーカード用コネクタ、
２          筐体、                              ２ａ          入り口部、
２ｂ        ガイド部、
３          コンタクト、
４          コンタクト、
５          スライダー、
６          弾性体、
７          ピン、
８          天板、
９，１０    カードロック用コンタクト、
１１，１２  検知コンタクト、
１３        揺動可変位置決め部材、      １３ａ    下位置決めバー、
１３ｂ      上位置決めバー、            １３ｃ    連結部、
１３ｄ      軸部、  
１４        トーションバネ、
１５        弾性部材、                  １５ａ    作用部、
１５ｂ，１５ｃ        両端部、
１６        ＳＤメモリーカード、
１７        メモリースティック、
１８        第２実施例の揺動可変位置決め部材、    
１８ａ      下位置決めバー、            １８ｂ        上位置決めバー、
１８ｃ      軸部、    
１９        トーションバネ。
【図１】
2006012438.tif 000003
【図２】
2006012438.tif 000004
【図３】
2006012438.tif 000005
【図４】
2006012438.tif 000006
【図５】
2006012438.tif 000007
【図６】
2006012438.tif 000008
【図７】
2006012438.tif 000009
【図８】
2006012438.tif 000010
【図９】
2006012438.tif 000011
【図１０】
2006012438.tif 000012
【図１１】
2006012438.tif 000013
【図１２】
2006012438.tif 000014